(57)【要約】【課題】限られた空間内に加熱構成を配置可能な液体吐出装置を提供する。【解決手段】液体吐出装置は、筐体と、該筐体内に千鳥状に位置しており、液体が通流するための流路をそれぞれ有するＮ個のヘッドと、前記筐体内に位置しており、一端が前記Ｎ個のヘッドそれぞれの前記流路に接続され、他端が液体を貯留するタンクに接続された少なくともＮ個の通流管と、前記筐体内にて、前記ヘッドの隣且つ前記ヘッドに干渉しない位置に位置されており、前記筐体内に温風を供給するためのヒータアセンブリとを備える。【選択図】図２
2020157680.tif 000002
【特許請求の範囲】
【請求項１】
筐体と、
該筐体内に千鳥状に位置しており、液体が通流するための流路をそれぞれ有するＮ個のヘッドと、
前記筐体内に位置しており、一端が前記Ｎ個のヘッドそれぞれの前記流路に接続され、他端が液体を貯留するタンクに接続された少なくともＮ個の通流管と、
前記筐体内にて、前記ヘッドの隣且つ前記ヘッドに干渉しない位置に位置しており、前記筐体内に温風を供給するためのヒータアセンブリと
を備える液体吐出装置。
【請求項２】
前記ヒータアセンブリを２個備え、
千鳥状に位置する前記Ｎ個のヘッドは、第１方向に沿って延びた第１列と、前記第１方向に沿って延びた第２列とを形成し、
前記第１列及び第２列は前記第１方向に交差する第２方向に並んでおり、
前記第１方向における前記第１列の端に位置する前記ヘッドの隣に、一方の前記ヒータアセンブリが位置しており、
前記第１方向における前記第２列の端に位置する前記ヘッドの隣に、他方の前記ヒータアセンブリが位置しており、
前記２個のヒータアセンブリは、前記第１方向にて互いに反対に位置している
請求項１に記載の液体吐出装置。
【請求項３】
前記ヒータアセンブリは熱源、ファン及びガイド板を備え、
前記一方のヒータアセンブリにおいて、前記熱源は前記ファンよりも下流側に位置し、前記ガイド板は前記熱源よりも下流側に位置し、前記ガイド板は前記他方のヒータアセンブリに向けて風を案内し、
前記他方のヒータアセンブリにおいて、前記熱源は前記ファンよりも下流側に位置し、前記ガイド板は前記熱源よりも下流側に位置し、前記ガイド板は前記一方のヒータアセンブリに向けて風を案内する
請求項２に記載の液体吐出装置。
【請求項４】
前記第２方向において、前記一方のヒータアセンブリの吸気部分と前記他方のヒータアセンブリの吸気部分とは反対側を向いており、
前記第１方向及び第２方向に交差する第３方向において、前記一方のヒータアセンブリの排気部分の位置と前記他方のヒータアセンブリの排気部分の位置とは異なる
請求項３に記載の液体吐出装置。
【請求項５】
前記ヒータアセンブリは、前記第３方向にて、前記ヘッドと前記タンクとの間に位置している
請求項４に記載の液体吐出装置。
【請求項６】
前記ヒータアセンブリは、前記第１方向に並んだ熱源及びファンを備え、
前記一方のヒータアセンブリにおいて、前記熱源は前記ファンよりも前記他方のヒータアセンブリの近くに位置しており、
前記他方のヒータアセンブリにおいて、前記熱源は前記ファンよりも前記一方のヒータアセンブリの近くに位置している
請求項２に記載の液体吐出装置。
【請求項７】
前記第１方向及び第２方向に交差する第３方向において、前記一方のヒータアセンブリの排気部分の位置と前記他方のヒータアセンブリの排気部分の位置とは異なる
請求項６に記載の液体吐出装置。
【請求項８】
前記熱源はフィンを備え、
前記フィンは前記ファンの下流側に位置している
請求項３から７のいずれか一つに記載の液体吐出装置。
【請求項９】
前記熱源は、熱伝導性を有するブロックと、該ブロック内に位置するヒータとを備える
請求項３から８のいずれか一つに記載の液体吐出装置。
【請求項１０】
前記筐体内に位置する温度センサを備え、
前記第１方向及び第２方向に交差する第３方向において、前記Ｎ個のヘッドと前記タンクとが並んでおり、
前記温度センサは、前記第１方向における前記２個のヒータアセンブリの間、前記第２方向における前記２個のヒータアセンブリの間、且つ前記第３方向にて前記タンクよりも前記ヘッドの近くに位置している
請求項２から９のいずれか一つに記載の液体吐出装置。
【発明の詳細な説明】
【技術分野】
【０００１】
本技術は、ヘッドから液体を吐出する液体吐出装置に関する。
【背景技術】
【０００２】
従来、キャリッジにインクジェットヘッド、ヒータ及びファンを搭載したプリンタが提案されている。インクジェットヘッドはさらに圧力調整部を有している。ファンはヒータに向けて風を送り、ヒータから温風が圧力調整部に供給される。圧力調整部にてインクは加熱され、インクの粘度が高くなることを防止できる（例えば特許文献１参照）。
【先行技術文献】
【特許文献】
【０００３】
【特許文献１】特開２０１７−１５９６６９号公報
【発明の概要】
【発明が解決しようとする課題】
【０００４】
インクジェットヘッドを収納する筐体の空間は小さいので、インクを加熱する構成の小型化が求められている。
【０００５】
本開示は斯かる事情に鑑みてなされたものであり、限られた空間内に加熱構成を位置させることが可能な液体吐出装置を提供することを目的とする。
【課題を解決するための手段】
【０００６】
本開示に係る液体吐出装置は、筐体と、該筐体内に千鳥状に位置しており、液体が通流するための流路をそれぞれ有するＮ個のヘッドと、前記筐体内に位置しており、一端が前記Ｎ個のヘッドそれぞれの前記流路に接続され、他端が液体を貯留するタンクに接続された少なくともＮ個の通流管と、前記筐体内にて、前記ヘッドの隣且つ前記ヘッドに干渉しない位置に位置されており、前記筐体内に温風を供給するためのヒータアセンブリとを備える。
【発明の効果】
【０００７】
本開示に係る液体吐出装置にあっては、ヘッドの隣且つ前記ヘッドに干渉しない位置にヒータアセンブリが位置している。即ち、ヒータアセンブリを筐体の限定された空間に位置させることができる。
【図面の簡単な説明】
【０００８】
【図１】実施の形態１に係るプリンタの略示平面図である。
【図２】インクジェットヘッドの略示平面図である。
【図３】図２に示すＩＩＩ−ＩＩＩ線を切断線としたインクジェットヘッドの略示縦断面図である。
【図４】第１ヒータアセンブリの略示正面図である。
【図５】第１ヒータアセンブリを後方から視認した略示斜視図である。
【図６】第２ヒータアセンブリの略示正面図である。
【図７】実施の形態２に係る第１ヒータアセンブリの略示正面図である。
【図８】第１ヒータアセンブリを後方から視認した略示斜視図である。
【図９】第２ヒータアセンブリの略示正面図である。
【発明を実施するための形態】
【０００９】
（実施の形態１）
以下本発明を実施の形態１に係るプリンタを示す図面に基づいて説明する。図１は、プリンタ１の略示平面図である。図１において、記録用紙１００の搬送方向はプリンタ１の前後方向に対応する。また記録用紙１００の幅方向はプリンタ１の左右方向に対応する。また前後方向及び左右方向と直交する方向、即ち図１の紙面垂直方向はプリンタ１の上下方向に対応する。左右方向は第１方向に対応し、前後方向は第２方向に対応し、上下方向は第３方向に対応する。
【００１０】
図１に示すように、プリンタ１は、ケース２内に収容されたプラテン３、四つのインクジェットヘッド４、二つの搬送ローラ５、６、及び制御装置７等を備える。
【００１１】
プラテン３の上面を、記録用紙１００が通過する。四つのインクジェットヘッド４は、プラテン３の上方において、搬送方向に並んでいる。各インクジェットヘッド４は、いわゆるラインタイプのヘッドである。インクジェットヘッド４には、インクタンク（図示略）からインクが供給される。四つのインクジェットヘッド４には、異なる色のインクが供給される。
【００１２】
図１に示すように、二つの搬送ローラ５、６は、プラテン３に対して後側と前側にそれぞれ配置されている。二つの搬送ローラ５、６は、図示しないモータによってそれぞれ駆動され、プラテン３上の記録用紙１００を前方へ搬送する。
【００１３】
制御装置７は、ＦＰＧＡ(Field Programmable Gate Array)、ＥＥＰＲＯＭ（Electrically Erasable Programmable Read-Only Memory）、ＲＡＭ（Random Access Memory）等を備える。なお制御装置７はＣＰＵ（Central Processing Unit）、又はＡＳＩＣ（Application Specific Integrated Circuit）等を備えてもよい。制御装置７は、ＰＣ等の外部装置９とデータ通信可能に接続されており、外部装置９から送られた印刷データに基づいて、プリンタ１の各部を制御する。
【００１４】
図２は、インクジェットヘッド４の略示平面図である。図２に示すように、インクジェットヘッド４は、筐体１０と、複数のヘッド１１と、第１ヒータアセンブリ２０と、第２ヒータアセンブリ３０とを備えている。筐体１０は、その形状が、左右方向に長い直方体となっている。筐体１０の底面には複数のヘッド１１が位置している。
【００１５】
筐体１０の底面中央部に、温度センサ１２が位置している。温度センサ１２は左右方向における第１ヒータアセンブリ２０と第２ヒータアセンブリ３０との間、前後方向における第１ヒータアセンブリ２０と第２ヒータアセンブリ３０との間、且つ上下方向にてサブタンク１３（図３参照）よりもヘッド１１の近くに位置している。上述した位置に温度センサ１２があることによって、筐体１０内の温度を物理的な場所に関して偏ることなく適切に検出することができる。
【００１６】
各ヘッド１１の下面には複数のノズル１１ａが形成されている。ヘッド１１の複数のノズル１１ａは、インクジェットヘッド４の長手方向である、左右方向に沿って形成されている。複数のヘッド１１同士は、前後方向及び左右方向において、千鳥状に位置している。複数のヘッド１１は左右に延びた前後二列を構成する。前列は後列に比べて左にずれている。前列において、隣り合う２つのヘッド１１の間には空間が存在する。その空間の後側に、後列にある１つのヘッド１１が位置する。また、前列の最も右側に位置するヘッド１１の右側（より詳細には、前列の最も右側に位置するヘッド１１と筐体１０右側部との間）には空間が存在する。その空間の後側に、後列の最も右側に位置するヘッド１１が位置する。後列において、隣り合う２つのヘッド１１の間には空間が存在する。その空間の前側に、前列にある１つのヘッド１１が位置する。また、後列の最も左側に位置するヘッド１１の左側（より詳細には、最左のヘッド１１と筐体１０左側部との間）には空間が存在する。その空間の前側に、前列の最も左側に位置するヘッド１１が位置する。
【００１７】
第１ヒータアセンブリ２０は、前列の最も右側に位置するヘッド１１の右側に存在する空間に位置している。つまり、第１ヒータアセンブリ２０は、その左側に、複数のヘッド１１のうち、前列の最も右側に位置するヘッド１１が位置しており、その後側に、複数のヘッド１１のうち、後列の最も右側に位置するヘッド１１が位置している。第２ヒータアセンブリ３０は、後列の最も左側に位置するヘッド１１の左側に存在する空間に位置している。つまり、第２ヒータアセンブリ３０は、その右側に、複数のヘッド１１のうち、後列の最も左側に位置するヘッド１１が位置しており、その前側に、複数のヘッド１１のうち、前列の最も左側に位置するヘッド１１が位置している。
【００１８】
つまり、第１ヒータアセンブリ２０及び第２ヒータアセンブリ３０は、平面視において、千鳥状に配置された複数のヘッド１１に干渉しない位置に位置している。即ち、第１ヒータアセンブリ２０及び第２ヒータアセンブリ３０を筐体１０において、複数のヘッド１１が千鳥状に位置していることによって空いた空間に位置させることができる。
【００１９】
第１ヒータアセンブリ２０は筐体１０の右前部に位置し、第２ヒータアセンブリ３０は筐体１０の左後部に位置する。即ち、平面視にて、第１ヒータアセンブリ２０及び第２ヒータアセンブリ３０は筐体１０の対角線上に位置する。
【００２０】
図３は、図２に示すＩＩＩ−ＩＩＩ線を切断線としたインクジェットヘッド４の略示縦断面図である。図３に示すように、筐体１０内の上側にサブタンク１３が位置している。サブタンク１３には、前述のインクタンクからインクが供給される。サブタンク１３は、複数の管１４を介して複数のヘッド１１に夫々接続されている。サブタンク１３から管１４を介してヘッド１１にインクが供給される。
【００２１】
図４は、第１ヒータアセンブリ２０の略示正面図、図５は、第１ヒータアセンブリ２０を後方から視認した略示斜視図である。第１ヒータアセンブリ２０は、熱源２１と、スペーサ２２と、ファン２３と、第１ガイド板２４と、第２ガイド板２５とを備える。
【００２２】
熱源２１は、偏平な直方体状のブロック２１ａを備える。該ブロック２１ａは上下方向に沿って延び、ブロック２１ａの左面及び右面の面積は他の面よりも大きい。ブロック２１ａは熱伝導性の高い素材によって構成され、例えばアルミニウム材又は鉄材によって構成されている。ブロック２１ａの内部にヒータ２１ｂが埋設されている。ヒータ２１ｂは、例えばニクロム線を金属パイプで覆ったカートリッジヒータである。
【００２３】
ブロック２１ａの左面から複数のフィン２１ｃが左側に突出している（図５参照）。フィン２１ｃは上下及び左右方向に沿って延びた板状をなす。ブロック２１ａの上面にあるスペーサ２２にファン２３が取り付けられている。ファン２３はフィン２１ｃの上側に位置し、上から下に向けて送風する。
【００２４】
ブロック２１ａの前面に第１ガイド板２４が取り付けられている。第１ガイド板２４は平面視Ｌ形をなし、前板部２４ａと、左板部２４ｂとを備える。前板部２４ａはブロック２１ａの前面から左側に突出している。左板部２４ｂは、前板部２４ａの突出端部から後側に突出している。前板部２４ａはフィン２１ｃの前側に位置し、左板部２４ｂはフィン２１ｃの左側に位置している。即ち、第１ガイド板２４は、複数のフィン２１ｃの左側及び前側を覆う。
【００２５】
ブロック２１ａの右面に第２ガイド板２５が取り付けられている。第２ガイド板２５は正面視Ｌ形をなし、右板部２５ａと、下板部２５ｂとを備える。右板部２５ａはブロック２１ａの右面から下側に突出している。下板部２５ｂは、右板部２５ａの突出端部から左側に突出している。下板部２５ｂはフィン２１ｃの下側に位置している。下板部２５ｂと左板部２４ｂとは上下方向において離れており、下板部２５ｂと左板部２４ｂとの間に排気口２６が形成されている。また左板部２４ｂの後端部とブロック２１ａとは左右方向において離れており、左板部２４ｂの後端部とブロック２１ａとの間に吸気口２７が形成されている。
【００２６】
ヒータ２１ｂの熱はブロック２１ａ及びフィン２１ｃに伝導する。ファン２３はフィン２１ｃに向けて送風する。すなわちファン２３の送風面はフィン２１ｃに向いている。フィン２１ｃから拡散された熱は第１ガイド板２４及び第２ガイド板に案内され、排気口２６から左方向に向けて排出される。吸気口２７からは空気が吸い込まれる。
【００２７】
図６は、第２ヒータアセンブリ３０の略示正面図である。第２ヒータアセンブリ３０は、熱源３１と、スペーサ３２と、ファン３３と、第１ガイド板３４と、第２ガイド板３５とを備える。
【００２８】
熱源３１は、偏平な直方体状のブロック３１ａを備える。該ブロック３１ａは上下方向に沿って延び、ブロック３１ａの右面及び左面の面積は他の面よりも大きい。ブロック３１ａは熱伝導性の高い素材によって構成され、例えばアルミニウム材又は鉄材によって構成されている。ブロック３１ａの内部にヒータ３１ｂが埋設されている。ヒータ３１ｂは、例えばニクロム線を金属パイプで覆ったカートリッジヒータである。
【００２９】
ブロック３１ａの右面から複数のフィン３１ｃが左側に突出している。フィン３１ｃは上下及び左右方向に沿って延びた板状をなす。ブロック３１ａの下面にあるスペーサ３２にファン３３が固定されている。ファン３３はフィン３１ｃの下側に位置し、下から上に向けて送風する。
【００３０】
ブロック３１ａの後面に第１ガイド板３４が取り付けられている。第１ガイド板３４は平面視Ｌ形をなし、後板部３４ａと、右板部３４ｂとを備える。後板部３４ａはブロック３１ａの後面から右側に突出している。右板部３４ｂは、後板部３４ａの突出端部から前方に突出している。後板部３４ａはフィン３１ｃの後側に位置し、右板部３４ｂはフィン３１ｃの右側に位置している。即ち、第１ガイド板３４は、複数のフィン３１ｃの右側及び後側を覆うように、配置されている。
【００３１】
ブロック３１ａの左面に第２ガイド板３５が取り付けられている。第２ガイド板３５は正面視Ｌ形をなし、左板部３５ａと、上板部３５ｂとを備える。左板部３５ａはブロック３１ａの左面から上側に突出している。上板部３５ｂは、左板部３５ａの突出端部から右側に突出している。上板部３５ｂはフィン３１ｃの上側に位置しれている。上板部３５ｂと右板部３４ｂとは上下方向において離れており、上板部３５ｂと右板部３４ｂとの間に排気口３６が形成されている。また右板部３４ｂの前端部とブロック３１ａとは左右方向において離れており、右板部３４ｂの前端部とブロック３１ａとの間に吸気口３７が形成されている。
【００３２】
ヒータ３１ｂの熱はブロック３１ａ及びフィン３１ｃに伝導する。ファン３３はフィン３１ｃに向けて送風する。すなわちファン２３の送風面はフィン３１ｃに向いている。フィン３１ｃによって加熱された空気は第１ガイド板３４及び第２ガイド板に案内され、排気口３６から右側に排出される。吸気口３７からは空気が吸い込まれる。制御装置７は温度センサ１２にて検出された温度に基づいて、筐体１０内の温度が所定温度になるように、ヒータ２１ｂ、３１ｂの温度及びファン２３、３３の回転数を制御する。
【００３３】
第１ガイド板２４及び第２ガイド板２５によって、第１ヒータアセンブリ２０は温風を左側に、即ち、第２ヒータアセンブリ３０に向けて送出する。第１ガイド板３４及び第２ガイド板３５によって、第２ヒータアセンブリ３０は温風を右側に、即ち、第１ヒータアセンブリ２０に向けて送出する。
【００３４】
図２に示すように、第１ヒータアセンブリ２０は第２ヒータアセンブリ３０よりも前側に位置し、第１ヒータアセンブリ２０の排気口２６は左側に位置し、第２ヒータアセンブリ３０の排気口３６は右側に位置している。また第１ヒータアセンブリ２０の吸気口２７は後側に位置し、第２ヒータアセンブリ３０の吸気口３７は前側に位置している。そのため、図２の矢印にて示すように、第１ヒータアセンブリ２０から送出された温風は、ヘッド１１の前列に沿って左側に流れ、第２ヒータアセンブリ３０の吸気口３７に吸気される。また第２ヒータアセンブリ３０から送出された温風は、ヘッド１１の後列に沿って右側に流れ、第１ヒータアセンブリ２０の吸気口２７に吸気される。即ち、平面視において、温風は筐体１０内を循環する。
【００３５】
更に、第１ヒータアセンブリ２０の排気口２６は、第２ヒータアセンブリ３０の排気口３６よりも下側に位置している。そのため、図３の矢印にて示すように、正面視において、第１ヒータアセンブリ２０から排出された温風は筐体１０内の下空間を流れ、第２ヒータアセンブリ３０の排気口３６から排出された温風は筐体１０内の上空間を流れる。そのため、筐体１０内の空間全体に温風が循環し、管１４を流れるインクの温度の低下を抑制し、ヘッド１１から吐出されるインクの粘度が高くなることを抑制することができる。即ち、インクの粘度を所望の粘度に維持しやすくなる。
【００３６】
（実施の形態２）
以下本発明を実施の形態２に係るプリンタを示す図面に基づいて説明する。実施の形態２においては、第１ヒータアセンブリ４０及び第２ヒータアセンブリ５０についてのみ説明し、他の構成については実施の形態１と同様なので省略する。
【００３７】
図７は、第１ヒータアセンブリ２０の略示正面図、図８は、第１ヒータアセンブリ２０を後方から視認した略示斜視図である。第１ヒータアセンブリ４０は、熱源４１と、第１スペーサ４２と、ファン４３と、第２スペーサ４４とを備える。
【００３８】
熱源４１は、偏平な直方体状のブロック４１ａを備える。該ブロック４１ａは上下方向に沿って延び、ブロック４１ａの前面及び後面の面積は他の面よりも大きい。ブロック４１ａは熱伝導性の高い素材によって構成され、例えばアルミニウム材又は鉄材によって構成されている。ブロック４１ａの内部にヒータ４１ｂが埋設されている。
【００３９】
ブロック４１ａの後面から複数のフィン４１ｃが後側に突出している（図８参照）。フィン４１ｃは前後及び左右方向に延びた板状をなす。ブロック４１ａの右面にある第１スペーサ４２にファン４３が取り付けられている。ファン４３はフィン４１ｃの右側に位置しており、右から左に向けて送風する。ブロック４１ａの前面に第２スペーサ４４が取り付けられている。第２スペーサ４４は筐体１０に取り付けられる。
【００４０】
図９は、第２ヒータアセンブリ５０の略示正面図である。第２ヒータアセンブリ５０は、熱源５１と、第１スペーサ５２と、ファン５３と、第２スペーサ５４とを備える。
【００４１】
熱源５１は、偏平な直方体状のブロック５１ａを備える。該ブロック５１ａは上下方向に沿って延び、ブロック５１ａの前面及び後面の面積は他の面よりも大きい。ブロック５１ａは熱伝導性の高い素材によって構成され、例えばアルミニウム材又は鉄材によって構成されている。ブロック５１ａの内部にヒータ５１ｂが埋設されている。
【００４２】
ブロック５１ａの前面から複数のフィン５１ｃが前側に突出している。フィン５１ｃは前後及び左右方向に延びた板状をなす。ブロック５１ａの左面にある第１スペーサ５２にファン５３が取り付けられている。ファン５３はフィン５１ｃの左側に位置しており、左から右に向けて送風する。ブロック５１ａの後面に第２スペーサ５４が取り付けられている。第２スペーサ５４は筐体１０に取り付けられる。
【００４３】
実施の形態２においては、実施の形態１と同様に、図２の矢印にて示すように、平面視において、温風は筐体１０内を循環する。また図３の矢印にて示すように、正面視において、第１ヒータアセンブリ４０から排出された温風は筐体１０内の下空間を流れ、第２ヒータアセンブリ５０から排出された温風は筐体１０内の上空間を流れる。
【００４４】
上述のプリンタ１においては、ブロック内にヒータが埋設されているが、ブロックに埋設させなくてもよい。例えば、ニクロム線を有するヒータにファンからの風を直接当てて、温風を送出してもよい。
【００４５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４６】
１  プリンタ
１０  筐体
１１  ヘッド
１２  温度センサ
１３  サブタンク
１４  管
２０、４０  第１ヒータアセンブリ
３０、５０  第２ヒータアセンブリ
２１、３１、４１、５１  熱源
２１ａ、３１ａ、４１ａ、５１ａ  ブロック
２１ｂ、３１ｂ、４１ｂ、５１ｂ  ヒータ
２１ｃ、３１ｃ、４１ｃ、５１ｃ  フィン
２３、３３、４３、５３  ファン
２４、３４  第１ガイド板
２５、３５  第２ガイド板
２６，３６  排気口
２７，３７  吸気口
【図１】
2020157680.tif 000003
【図２】
2020157680.tif 000004
【図３】
2020157680.tif 000005
【図４】
2020157680.tif 000006
【図５】
2020157680.tif 000007
【図６】
2020157680.tif 000008
【図７】
2020157680.tif 000009
【図８】
2020157680.tif 000010
【図９】
2020157680.tif 000011